(57)【要約】【課題】直刺繍と同様の見栄えを発揮しながら、長期の使用でも刺繍の損傷を防止でき、さらに基材の強度の低下を抑制することができる刺繍付きシート、それを用いたランドセルおよび鞄を提供する。【解決手段】  基材１１と、その基材１１に直に設けた直刺繍１２と、その直刺繍１２と近接して、または一部が重なるようにして貼り付けた刺繍体１３とからなり、前記刺繍体１３が、前記基材１１より薄く柔軟な素地１４と、その素地１４に形成された刺繍１５とからなり、接着剤層１６によって基材１１に貼り付けられている刺繍付きシート１０。箱状の本体２１と、垂れ蓋２２とからなり、本体２１または垂れ蓋２２が前述の刺繍付きシート１０を有するランドセル２０。【選択図】図１
2020163051.tif 000002
【特許請求の範囲】
【請求項１】
基材と、その基材に直に刺繍糸を縫い付けた直刺繍と、その直刺繍と近接して、または一部が直刺繍と重なるようにして前記基材に貼り付けた刺繍体とからなり、
前記刺繍体が、前記基材より薄く柔軟な素地と、その素地に縫い付けた刺繍とからなり、接着剤層によって基材に貼り付けられている、刺繍付きシート。
【請求項２】
前記直刺繍が複数個、互いに離れて設けられており、
前記刺繍体が複数個の直刺繍の間に、あるいは一つまたは複数個の直刺繍の上に重ねて貼り付けられている請求項１記載の刺繍付きシート。
【請求項３】
前記直刺繍と刺繍体の刺繍が同じタイプのステッチまたは同じ系統の色で構成されている請求項１または２記載の刺繍付きシート。
【請求項４】
箱状の本体と垂れ蓋とからなり、本体または垂れ蓋が請求項１〜３のいずれかに記載の刺繍付きシートを有するランドセル。
【発明の詳細な説明】
【技術分野】
【０００１】
この発明は、刺繍付きシートおよびそれを用いたランドセルに関する。
【背景技術】
【０００２】
特許文献１には、衣料品、カーテン、鞄などの被着体に対し、別個に製造した刺繍体を加熱押圧接着することにより、刺繍を施した製品の生産性を向上させる技術が記載されている。刺繍体は、合成樹脂または合成繊維フィルムなどからなる素地と、その素地に設けた刺繍と、裏面に設けた熱接着層および剥離紙層と、表面側に設けた透明の耐熱シート層などからなる。
【０００３】
他方、特許文献２には、本体の側面や垂れ蓋に刺繍を施したランドセル（スクールバッグ）が開示されている。また、特許文献３には、再帰反射性の塗料で形成した装飾部と、プレス機で加熱圧着（加圧）した凹凸模様の装飾部とからなる、二種類の装飾を重ねたり組み合わせたりした装飾を設けたランドセルが開示されている。
【先行技術文献】
【特許文献】
【０００４】
【特許文献１】特開平９−３１０２６３号公報
【特許文献２】実用新案登録第３１４９０９１号公報
【特許文献３】実用新案登録第３１９８７４７号公報
【発明の概要】
【発明が解決しようとする課題】
【０００５】
特許文献１の刺繍体は、効率的に量産することが可能である。しかし被着体に対し貼り付けて固定するので、刺繍を被着体に直に施す直刺繍のように被着体への糸の出入りが見えない。また、被着体から浮いて見える。そのため、被着体に貼り付けた刺繍体はアップリケのように見えがちである。特許文献２のランドセルの刺繍は、垂れ蓋などに直に縫い付けた本来の刺繍（直刺繍）であるので、見栄えがよい。しかし、基材が皮革や合成皮革などの場合、これに刺繍糸を密に設けるべく針穴の間隔を狭くすると、基材は針穴に沿って破断しやすくなる。また、長年の使用で刺繍の表面側の上糸が摺損して裏面側の下糸との絡みが維持できず、下糸が抜けて刺繍自体が損傷することがある。
【０００６】
特許文献３のランドセルは、２つの物で凹凸模様で立体感を出しているが、刺繍のような装飾性は無い。
【０００７】
本発明は刺繍体を利用しながら直刺繍と同様の見栄えを発揮し、かつ、長期の使用でも刺繍の損傷を防止でき、さらに基材の強度の低下を抑制することができる刺繍付きシート、それを用いたランドセルおよび鞄を提供することを技術課題としている。
【課題を解決するための手段】
【０００８】
本発明の刺繍付きシート１０は、基材１１と、その基材１１に直に刺繍糸１２ａ、１２ｂを縫い付けた直刺繍１２と、その直刺繍１２と近接して、または一部が直刺繍１２と重なるようにして前記基材１１に貼り付けた刺繍体１３とからなり、前記刺繍体１３が、前記基材１１より薄く柔軟な素地１４と、その素地１４に縫い付けた刺繍１５とからなり、接着剤層１６によって基材１１に貼り付けられていることを特徴としている。
【０００９】
このような刺繍付きシート１０においては、前記直刺繍１２が複数個、互いに離れて設けられており、前記刺繍体１３が複数個の直刺繍の間に、あるいは一つまたは複数個の直刺繍１２の上に貼り付けられているものが好ましい。前記直刺繍１２と刺繍体１３の刺繍１５は、同じタイプのステッチまたは同じ系統の色で構成されていることが好ましい。
【００１０】
本発明のランドセル２０は、箱状の本体２１と垂れ蓋２２とからなり、本体２１または垂れ蓋２２が前記刺繍付きシート１０を有することを特徴としている。
【発明の効果】
【００１１】
直刺繍は、基材の表面側では上糸だけが現れるので薄く、基材との段差がほとんど無い。また上糸は基材へ１本ずつ出入りするので、基材と一体感がある。そのため、直刺繍が施された基材は豪華で美しい。他方、刺繍体は、素地と上糸と下糸とが重なっているので、刺繍体の表面と基材の表面との間に輪郭線ないし段差が生じる。また、直刺繍のような基材との一体感は演出されない。しかし本発明の刺繍付きシートでは、刺繍体は直刺繍に近接して、あるいは一部が重なって貼り付けられているので、刺繍体の周辺と基材の表面とを区画する輪郭線や段差が直刺繍によって緩和される。さらに直刺繍と混在して全体が直刺繍のように見える。したがって本発明の刺繍付きシ−トは全体が直刺繍でできているかのような豪華で美しい印象が醸し出される。さらに刺繍体は接着層を用いて貼り付けているので、長期間使用しても損傷が防止され、しかも全体を直刺繍とする場合より針穴が少なくなるので、基材の強度が低下しない。さらに別工程で製造する刺繍体を利用しているので、効率的に製造することができる。
【００１２】
このような刺繍付きシートにおいて、前記直刺繍が、複数個、互いに離れて設けられていて、前記刺繍体が複数個の直刺繍の間に、あるいは一つまたは複数個の直刺繍の上に貼り付けられている場合は、複数個の直刺繍とそれらの上に貼り付けられている刺繍体の全体が一体の装飾として看取される。そして基材、薄い直刺繍およびいくらか厚い刺繍体とにより立体感が演出されるため、全体として豪華になる。前記直刺繍と刺繍体の刺繍が同じタイプのステッチまたは同じ系統の色で構成されている場合は、直刺繍と刺繍体の刺繍との一体感が一層高くなる。
【００１３】
本発明のランドセルは、箱状の本体または垂れ蓋が前述の刺繍付きシートを有するので、装飾効果が高く、高級感を演出することができ、しかも生産効率が高い。さらに刺繍体が厚いので、基材を保護することができる。
【図面の簡単な説明】
【００１４】
【図１】図１Ａは本発明の刺繍付きシートの一実施形態の刺繍体を貼り付ける前の斜視図、図１Ｂは張り付け後の斜視図である。
【図２】図２Ａは刺繍体を貼り付ける前の刺繍付きシートの概略断面図、図２Ｂは刺繍体を取り付けた後の概略断面図である。
【図３】図３Ａは本発明に関わる直刺繍の一実施形態を示す平面図、図３Ｂはその直刺繍に刺繍体を貼り付けた状態を示す平面図である。
【図４】本発明のランドセルの一実施形態を示す斜視図である。
【発明を実施するための形態】
【００１５】
図１Ａに示す刺繍付きシート１０は、基材１１と、その基材１１に直に縫い付けられた複数の直刺繍１２と、それらの直刺繍１２と近接して、また、それらの直刺繍に一部が重なって貼り付けられる刺繍体１３とからなる。図１Ａは貼り付け前の状態を示している。基材１０は、天然皮革、人工皮革または合成皮革製などの張り性を有するシートが好ましい。鞄やランドセルに用いる場合は、たとえばクラリーノ（株式会社クラレ製の人工皮革の登録商標）などの人工皮革が色の種類が豊富で、針穴の周囲の耐裂け性や糸の張りに対する所定の強度および張り性を有し、蓋体に用いる場合は可撓性を備え、軽量で雨にも強いことから好ましい。
【００１６】
基材１１に直に縫い付けられている直刺繍１２は、複数個所に、互いに離れて設けられている。それらの直刺繍１２は、環状に配列して中央にスペースＳ（図２Ａ参照）を設けると、直刺繍１２をあまり隠すことなく中央のスペースＳに刺繍体１３を貼り付けることができる（図１Ｂ参照）。それぞれの直刺繍１２は基材１１に形成される図形など（図１Ａでは葉や茎）であり、図２Ａのように基材１１の表面側の上糸１２ａと裏面側の下糸１２ｂとが絡み合うようにして形成され、基材１１に固定されている。このような直刺繍１２は、直線や曲線を形成することが可能な刺繍用ミシンなどで形成することができる。
【００１７】
上糸１２ａおよび下糸１２ｂを構成する刺繍糸は、木綿糸などの植物繊維、羊毛や蚕（生糸）などの動物繊維などの天然繊維のほか、化学繊維、合成繊維などの人工繊維を用いることができるが、所定の引っ張り強度や耐候性、耐久性、耐褪色性などが求められる。刺繍糸は単色でもよく、複数の色の刺繍糸を組み合わせて図柄を描くこともできる。同色で濃さを変えていくことにより、グラデーションを表現することもできる。刺繍糸を重ねて縫い付けることにより、立体的に形成することもできる。
【００１８】
直刺繍１２は、通常は刺繍用ミシンによって形成し、上糸１２ａと下糸１２ｂが所定の張力で張りをもつように縫い付ける。ただし手縫いで形成することもでき、その場合は１本の糸を上下に往復させて作成する。刺繍糸は、基材１１の表裏面では所定長さの直線（線分）の形状を呈し、それらの線分が多数集まって視覚的効果をもたらす。たとえば隣接する刺繍糸同士の隙間を少なくすることで基材１１の表面の一部を特定の色で塗りつぶすこともでき、短い線分を繋ぐことで曲線を表現したり、隙間をあけて縫い付けたりすることにより、基材１１の色を利用して線画のように形成することもできる。ランドセルの垂れ蓋のように刺繍付きシート１０が繰り返し屈曲される場合は、基材１１に縫い付けられた直刺繍１２は基材１１の変形に追従する必要があり、張力に対する耐久性を備えているだけでなく、一旦撓んでも、元の状態に戻ることができる復元力も備えているものが好ましい。
【００１９】
前記刺繍体１３は、特許文献１に記載されている刺繍体と実質的に同じものを使用することができ、図２Ａに示すように、柔軟な素地１４と、その素地１４に設けられた刺繍１５と、裏面側（後述する刺繍１５の下糸１５ｂ側）に設けられた熱接着剤層１６とからなる。後述するように、熱接着剤層１６はなくてもよい。刺繍１５は、素地１４の上側の上糸１５ａと下側の下糸１５ｂとからなる。素地１４は、ヒートカットが可能で、しかも熱接着の温度では溶融しない熱可塑性樹脂製の織布あるいは熱可塑性の合成繊維からなる織布、合成樹脂製フィルムが好ましい。ヒートカット性を有する場合は、大きい素地１４に多数形成した刺繍体１３を、輪郭に沿って容易に個別に切り離す（カッティング）ことができる。ただし型抜きなど、他の切断方法を採用する場合はヒートカット性がなくてもよい。カッティングする場合は、上面に耐熱性のフィルムを貼り付けて、切り離し後にバラバラにならないようにするのが好ましい。
【００２０】
刺繍体１３は最終的には基材１１に貼り付けられるため、素地１４には基材１１ほどの強度、耐裂け性や糸の張りに対する強度は不要である。また、熱接着する場合に素地１４が溶融して基材１１と一体化するものであってもよい。ただし製造途中では、刺繍体１３単独で取り扱われるため、所定の強度が求められる。他方、素地１４は、基材１１が繰り返し湾曲したり屈曲したりする場合にそれに追従して変形する必要があり、基材以上の柔軟性や伸縮性が必要である。そのため、綿や麻などの植物繊維、ウールなどの動物繊維、合成繊維からなる糸を織ったメッシュ生地、織物地、織布などが好ましい。
【００２１】
素地１４に設けられる刺繍１５は、前述の基材１１に直に縫いつけられる直刺繍１２と同じように、上糸１５ａと下糸１５ｂとが使用され、上糸１５ａ、下糸１５ｂには所定の引っ張り強度、耐摩耗性、耐候性が必要である。熱接着剤層１６は、加熱により溶融して素地１４と基材１１の隙間に流れ込み、冷却後に両者を一体に接合する接着剤であり、ホットメルト系接着剤などが好適である。このような熱接着剤層の材料としては、たとえばポリエチレン、ポリプロピレンなどを採用しうる。
【００２２】
上記の刺繍付きシート１０を製造するには、基材１１と刺繍糸（上糸１２ａ、下糸１２ｂ）とを準備し、基材１１に直に刺繍糸(上糸１２ａ、下糸１２ｂ)を縫い付けて直刺繍１２を形成する（図１Ａ、図３Ａ参照）。これとは別個に、素地１４に刺繍糸（上糸１５ａ、下糸１５ｂ）を縫い付けて刺繍１５を設け、刺繍１５の下面に熱接着剤層１６を設けることにより、刺繍体１３を製造する。ついで刺繍体１３を、直刺繍１２を施した基材１１の上に載置し、刺繍体１３の上面から熱プレスし、熱接着剤層１６を溶融して刺繍体１３を基材１１に接着する。それにより直刺繍１２と刺繍体１３が一体となって結合刺繍Ｕとなり、刺繍付きシート１０が得られる（図１Ｂ、図３Ｂ参照）。なお、熱接着剤層６は、基材１１に熱接着した後は、刺繍１５と基材１１に浸透し、実質的に膜として残らない。
【００２３】
得られた刺繍付きシート１０は、複数個所の直刺繍１２が刺繍体１３の周囲を取り囲み、あるいは外側に近接、また、一部が刺繍体の下に重なっているので、この直刺繍１２と刺繍体１３とからなる結合刺繍Ｕは一体的に見える。そのため刺繍体１３の刺繍１５も直刺繍のように見える。また、直刺繍１２では、基材１１の表面には上糸１２ａがあるだけなので薄い。他方、刺繍体１３は素地１４と上糸１５ａと下糸１５ｂとが重なっているので厚い。そのため、直刺繍１２と刺繍体１３による上記の結合刺繍Ｕは凹凸および奥行きがあり、立体的で豪華な外観を呈している。さらに刺繍体１３は貼り付けるので、基材１１に設ける針穴の数は少なくてよい。そのため、強度が高く、雨が針穴に入って内部に染みこむとことも少なくなる。
【００２４】
なお、熱接着剤層１６は、あらかじめ塗布し、乾燥させて形成しておくこともでき、貼り付ける直前に液状の接着剤を塗布することもできる。乾燥させて形成する場合は、必要に応じて剥離紙を貼り付けておくようにしてもよい。所定の耐久性や接着強度を満たす限り、熱接着剤層１６に代えて、加圧により接着する接着剤や粘着糊などを採用することもできる。接着時に接着剤を塗布する場合は、刺繍体１３に熱接着剤層１６を設ける必要はない。接着剤は基材１１側に塗布してもよい。
【００２５】
また、図１Ａで示すように、複数個所に設けられた直刺繍１２同士は、刺繍糸を途切れさせずに連続させてもよい。この場合、複数の直刺繍１２の間には渡りの上糸１２ａが存在するが(図３Ａ参照)、それらの上糸１２ａは図１Ｂ、図３Ｂに示すように、刺繍体１３を貼り付けることにより隠すことができる。ただし基材１１の裏面では渡りの下糸１２ｂ（図示外）や、直刺繍１２の裏面側の下糸１２ｂが外出しているので、必要に応じて裏面の全体に裏地を重ねて隠すのが好ましい。
【００２６】
前記直刺繍１２と刺繍体１３の刺繍１５の隣接する部分のステッチを同一にすると、刺繍体１３は直刺繍１２との一体性が高まるので好ましい。たとえば図３Ａに示すように、直刺繍１２の葉１８を、上糸１２ａを密に並べて所定の面を埋めるサテンステッチとする場合は、図３Ｂに示すように、その葉１８と隣接する刺繍体１３の花１９もサテンステッチにすると、両方の刺繍が一体的ないし連続的に形成されているように見える。また、直刺繍１２の葉１８ａの輪郭線をバックステッチにする場合は、刺繍体１３の刺繍１５の花１９ａの輪郭線もバックステッチにする。
【００２７】
さらに直刺繍１２の糸の番手（太さ）と刺繍体１３の刺繍１５の糸の番手を合わせておくのが好ましい。直刺繍１２の糸の色（色目、色番）と刺繍体１３の刺繍１５の色（色目、色番）を同一または同系統にしてもよい。それらの場合は直刺繍１２と刺繍体１３との一体性が一層増大し、全体があたかも直刺繍で構成されているように看取される。特に図３Ａ、図３Ｂに示すように直刺繍の蕾１９ｂを紫色とする場合、その蕾と近接する刺繍体１３の花１９ａの色を紫色、または紫色の濃淡色とすることにより、刺繍体１３は直刺繍１２と連続的に形成されているかのように看取される。
【００２８】
前記のとおり、本発明の刺繍付きシートは、直刺繍と刺繍体による結合刺繍Ｕによりまるで直刺繍が施されているかのような外観を呈している。また、刺繍体は長年の使用で刺繍の表面側の上糸が摺損しても、裏面側の下糸は不外出であり、また、基材１１に接着しているので、上糸と下糸との絡みが維持可能になっている。したがって、刺繍体は下糸が抜けて刺繍が損なわれるのを防止する。また、直刺繍よりも厚みがあり、突出しているので、周辺の直刺繍の表面に物が接触するのを防止可能にしているので、直刺繍を保護する。
【００２９】
図４は本発明の刺繍付きシート１０を備えたランドセル２０を示している。ランドセル２０は、箱状の本体２１と、垂れ蓋２２とを備えており、垂れ蓋２２の表皮２２ａに前記刺繍付きシート１０を使用している。すなわち、この実施形態では基材である表皮２２ａに直刺繍１２と刺繍体１３とを設けている。垂れ蓋２２は表皮２２ａの裏面側に裏地２２ｂを設けることにより、裏面側の下糸１２ｂを裏地２２ｂによって隠すことができる。符号２３は背負いベルトである。
【００３０】
刺繍体１３は複数の直刺繍１２の中央に配置され、装飾のメインとなる。そのため女児向けにハートや星、花などの装飾、男児用には乗り物やロボットなど、さらに両者に対し、その時のはやりのデザインのもの、たとえば漫画やアニメのキャラクターをモチーフにした装飾が好ましく用いられる。流行のデザインの場合、短期間で陳腐化することがあるが、刺繍付きシート１０を用いたランドセル２０では、直刺繍１２は変更せず、刺繍体１３だけを流行のものに対応させればよい。そうすることにより在庫管理が容易になる。さらに使用する児童のデザイン変更の要望にも応えることができる。なお、刺繍体１３は表皮２２ａの表面に貼るので、デザインの決定を最後にすることができる。また、交換することも可能である。
【００３１】
なお、ランドセル２０の垂れ蓋２２に直刺繍１２と刺繍体１３を設けるほか、本体２１の側襠２４などに直刺繍１２と刺繍体１３を設けてもよい。
【００３２】
さらにランドセル２２以外の天然または人工の皮革製や布製の鞄類（バッグ、袋物を含む）の本体や蓋体に直刺繍と刺繍体を設けてもよい。
【符号の説明】
【００３３】
１０  刺繍付きシート
１１  基材
１２  直刺繍
１２ａ  上糸
１２ｂ  下糸
１３  刺繍体
１４  素地
１５  （素地に縫い付けた）刺繍
１５ａ  上糸
１５ｂ  下糸
１６  熱接着剤層
１８  葉
１９  花
１８ａ  葉
１９ａ  花
１９ｂ  蕾
２０  ランドセル
２１  本体
２２  垂れ蓋
２２ａ  表皮
２２ｂ  裏地
２３  背負いベルト
２４  襠部
【図１】
2020163051.tif 000003
【図２】
2020163051.tif 000004
【図３】
2020163051.tif 000005
【図４】
2020163051.tif 000006